(57)【特許請求の範囲】
【請求項１】
ドットマトリックスを用いた画面上に表示量のレベルを段階的に表示するレベル表示領域を設け、
前記レベル表示領域を区切線により複数の子領域に区切り、
前記各子領域を表示量の大きさに応じて点灯、非点灯させることでレベル表示を行うレベル表示装置であって、
前記レベル表示は、表示量を段階的に示す複数の扇形状から成る表示帯と、前記表示帯のそれぞれの端部に配置され、表示レベルの基準を示す弧形状から成る目盛線とで構成され、
前記各子領域内に前記表示帯を一つずつ収めると共に、隣接する前記表示帯の間の前記目盛線が前記各区切線をそれぞれ覆うように配置され、
前記子領域内において前記表示帯と前記目盛線の両方を点灯させる前記子領域毎の表示パターンと、前記子領域内において前記表示帯を非点灯とし、前記目盛線のみを点灯させる前記子領域毎の表示パターンとから成る複数のパターンデータを記憶するメモリと、
前記メモリに記憶されたパターンデータを組み合わせて前記画面上に所望のレベル表示を行う制御部と、
を備えていることを特徴とするレベル表示装置。
【請求項２】
前記目盛線は、前記表示量と異なる表示色または、表示濃度を用いて表示することを特徴とする請求項１記載のレベル表示装置。
【請求項３】
前記各子領域は、段階的に変化するグラデーションを付けたことを特徴とする請求項１記載のレベル表示装置。
【請求項４】
請求項１乃至請求項３のいずれか１項に記載のレベル表示装置を用いたリモートコントローラ。
【発明の詳細な説明】
【技術分野】
【０００１】
本発明は、画面上に表示量のレベルを表示するためのレベル表示領域を設けたレベル表示装置およびそのレベル表示装置を用いたリモートコントローラに関する。
【背景技術】
【０００２】
従来、エアコンディショナー（以下、エアコンという）等の空気調和機をコントロールするリモートコントローラ（以下、リモコンという）には、図１２に示すように、操作情報を表示する液晶表示部１０１を備えている。このリモコン１００の液晶表示部１０１の画面上には、風量や音量等の「量」や「強さ」をグラフィック表示する際に、風量表示部１０１１に示した黒いセグメントを増減させることで、分かり易く表示（レベル表示）していた。例えば、図１３は、従来のセグメント表示により風量をレベル表示する場合のグラフィック表示例である。図１３の左側から順番に、風量が静音、微風、弱風、強風、風量自動の５段階表示となっている。
【０００３】
この種の表示を行うリモートコントローラとしては、例えば特許文献１に示すような空気調和機に用いられるリモートコントローラがあった。
【先行技術文献】
【特許文献】
【０００４】
【特許文献１】特開２００９−１３９０１０号公報
【発明の概要】
【発明が解決しようとする課題】
【０００５】
このような従来技術にあっては、レベル表示の段階毎に１つのセグメントが割り当てられており、セグメントのＯＮ（黒）、ＯＦＦ（消灯）で表現するため、信号線の引き回しが可能であればセグメントの形状は自由であり、制御データ量も段階に応じて最小限で済むという利点がある。しかしながら、セグメント方式は、表示内容が限られ、他の表示と兼用できないため、限られた画面サイズの中で種々の表示を行おうとすると、必然的に表示スペースが限られるという問題がある（図１２参照）。
【０００６】
そこで、表示部にドットマトリックス方式の液晶を用いたリモコンの場合は、図１４に示すように、滑らかな曲線で放射状に広がるイメージのレベル表示を複数段階で表示しようとすると、各段階の全体画像データを１パターンとして記憶させ、画像データを呼び出すため、大きなメモリ容量が必要になるという問題があった。例えば、図１４のレベル表示の場合は、１パターンの画像サイズが１８３０４ピクセルとなり、５パターン（５段階）分必要なため、１８３０４×５＝９１５２０ピクセル分のメモリ容量が必要になる。このようにメモリ容量が大きくなると高コストになるという問題がある。
【０００７】
本発明は、上記に鑑みてなされたものであって、表示量のレベル表示を少ない記憶容量で記憶することができ、低コスト化できる。特に、ドットマトリックス方式を用いて風量や音量等のレベル表示を行う際に、滑らかな曲線を使って放射状に広がるイメージで表示を行うと共に、パターンデータを少ない記憶容量で記憶することができる低コストのレベル表示装置およびそのレベル表示装置を用いたリモートコントローラを提供することを目的とする。
【課題を解決するための手段】
【０００８】
上述した課題を解決し、目的を達成するために、本発明は、ドットマトリックスを用いた画面上に表示量のレベルを段階的に表示するレベル表示領域を設け、前記レベル表示領域を区切線により複数の子領域に区切り、前記各子領域を表示量の大きさに応じて点灯、非点灯させることでレベル表示を行うレベル表示装置であって、前記レベル表示は、表示量を段階的に示す複数の扇形状から成る表示帯と、前記表示帯のそれぞれの端部に配置され、表示レベルの基準を示す弧形状から成る目盛線とで構成され、前記各子領域内に前記表示帯を一つずつ収めると共に、隣接する前記表示帯の間の前記目盛線が前記各区切線をそれぞれ覆うように配置され、前記子領域内において前記表示帯と前記目盛線の両方を点灯させる前記子領域毎の表示パターンと、前記子領域内において前記表示帯を非点灯とし、前記目盛線のみを点灯させる前記子領域毎の表示パターンとから成る複数のパターンデータを記憶するメモリと、前記メモリに記憶されたパターンデータを組み合わせて前記画面上に所望のレベル表示を行う制御部と、を備えていることを特徴とする。
【００１０】
また、本発明は、前記目盛線は、前記表示量と異なる表示色または、表示濃度を用いて表示することが好ましい。
【００１１】
また、本発明は、前記各子領域は、段階的に変化するグラデーションを付けることが好ましい。
【００１２】
また、本発明のいずれかのレベル表示装置を用いたリモートコントローラとすることが好ましい。
【発明の効果】
【００１３】
本発明によれば、レベル表示は、表示量を段階的に示す複数の扇形状から成る表示帯と、表示帯のそれぞれの端部に配置され、表示レベルの基準を示す弧形状から成る目盛線とで構成され、各子領域内に表示帯を一つずつ収めると共に、隣接する表示帯の間の目盛線が各区切線をそれぞれ覆うように配置され、子領域内において表示帯と目盛線の両方を点灯させる子領域毎の表示パターンと、子領域内において表示帯を非点灯とし、目盛線のみを点灯させる子領域毎の表示パターンとから成る複数のパターンデータを記憶するメモリと、メモリに記憶されたパターンデータを組み合わせて画面上に所望のレベル表示を行う制御部と、を備えている。このように、ドットマトリックス方式を用いて風量や音量等の表示量をレベル表示する際に、子領域内の表示帯と目盛線の両方を点灯させる子領域毎の表示パターンと、子領域内の表示帯を非点灯とし目盛線のみを点灯させる子領域毎の表示パターンとから成るパターンデータをメモリに記憶させ、そのパターンデータを制御部で組み合わせることにより所望のレベル表示が行えるため、少ない記憶容量でパターンデータを記憶することができ、低コスト化できるレベル表示装置およびそのレベル表示装置を用いたリモートコントローラとすることができるという効果を奏する。
【図面の簡単な説明】
【００１４】
【図１−１】図１−１は、本発明の一実施形態にかかるリモートコントローラの運転操作中の表示画面を示す平面図である。
【図１−２】図１−２は、本発明の一実施形態にかかるリモートコントローラの風量レベル表示中の表示画面を示す平面図である。
【図２】図２は、本発明の一実施形態にかかるリモートコントローラの概略構成を示すブロック図である。
【図３】図３は、図２に示すＬＣＤユニットの構成例を示すブロック図である。
【図４】図４は、図３に示すメモリに記憶される画像データ例を示すメモリ構成図である。
【図５】図５は、図１−２のＬＣＤユニットに表示される風量レベル表示の各段階のパターン例を示す図である。
【図６】図６は、図５に示す各段階の風量レベル表示を本発明の矩形領域に分割した場合のデータ量を説明する図である。
【図７】図７は、図６で分割した矩形領域の組み合わせを変えて異なる段階の風量レベル表示を行う例を説明する図である。
【図８−１】図８−１は、本発明にかかるレベル表示装置の特徴を説明する図である。
【図８−２】図８−２は、本発明にかかるレベル表示装置の特徴を説明する図である。
【図８−３】図８−３は、本発明にかかるレベル表示装置の特徴を説明する図である。
【図８−４】図８−４は、本発明にかかるレベル表示装置の特徴を説明する図である。
【図９】図９は、本発明にかかるレベル表示の目盛線に用いるハーフトーンの１画素を拡大した図である。
【図１０】図１０は、本発明にかかるレベル表示の表示量を示す疑似曲線部分の１画素を拡大した図である。
【図１１】図１１は、本発明にかかるレベル表示装置の動作を説明するフローチャートである。
【図１２】図１２は、セグメント表示により風量表示を行う従来のリモートコントローラの平面図である。
【図１３】図１３は、図１２のセグメント表示による各段階の風量表示例を示す図である。
【図１４】図１４は、従来のドットマトリックス方式の液晶を用いたリモコンの風量レベル表示に必要なデータ量を説明する図である。
【図１５−１】図１５−１は、各段階の風量レベル表示を本発明と異なる矩形領域に分割した場合の比較例を説明する図である。
【図１５−２】図１５−２は、各段階の風量レベル表示を本発明と異なる矩形領域に分割した場合の比較例を説明する図である。
【図１５−３】図１５−３は、各段階の風量レベル表示を本発明と異なる矩形領域に分割した場合の比較例を説明する図である。
【図１５−４】図１５−４は、各段階の風量レベル表示を本発明と異なる矩形領域に分割した場合の比較例を説明する図である。
【発明を実施するための形態】
【００１５】
以下に、本発明にかかるレベル表示装置およびそのレベル表示装置を用いたリモートコントローラの実施例を図面に基づいて詳細に説明する。なお、この実施例によりこの発明が限定されるものではない。
【実施例１】
【００１６】
［リモートコントローラの構成］
図１−１は、本発明の一実施形態にかかるリモートコントローラの運転操作中の表示画面を示す平面図であり、図１−２は、本発明の一実施形態にかかるリモートコントローラの風量レベル表示中の表示画面を示す平面図であり、図２は、本発明の一実施形態にかかるリモートコントローラの概略構成を示すブロック図であり、図３は、図２に示すＬＣＤユニットの構成例を示すブロック図であり、図４は、図３に示すメモリに記憶される画像データ例を示すメモリ構成図である。
【００１７】
本実施例にかかるリモートコントローラ（リモコン）は、ＲＦモジュールによる双方向無線通信を利用して、図示しないエアコンディショナー（エアコン）を遠隔操作したり各種設定を行ったりすると共に、エアコンの運転状況や各種運転情報等を取得して、運転操作や運転管理等に利用することができる。図１−１に示すリモコン１は、直方体形状をしており、面積の最も大きい一方の面側に、ドットマトリックス型液晶表示パネルを用いたＬＣＤユニット２と、エアコンの運転を操作するためのキー操作部３が長手方向に連なって配置されている。操作者は、図１−１に示すリモコン１の下方を手で持って、ＬＣＤユニット２に表示される操作情報や運転情報を見ながら、指でキー操作部３を操作するものである。
【００１８】
図１−１の風量キー３ａを押下すると、図１−２のＬＣＤユニット２に示すようにエアコンの風量状態を表示し、順次押下する度に「強風→弱風→微風→静音→自動→強風・・・」とエアコンの風量をサイクリックに変化させる。この風量制御に伴って、リモコン１のＬＣＤユニット２に表示される風量のレベル表示が変化する。
【００１９】
リモコン１は、図２に示すように、リモコン１の操作情報やエアコンの運転情報等を表示するＬＣＤユニット２、コマンドにより操作対象機器を操作するキー操作部３、マザーボード上に実装された計時専用のＩＣであるＲＴＣ（リアル・タイム・クロック）４、リモコン１の各部に電力を供給する電池５、エアコンとの間で双方向の無線通信を行うための送受信機やアンテナ等を含むＲＦモジュール６、エアコン以外の加湿機などを赤外線（ＩＲ）ダイオードによる赤外線通信によってコントロールするＩＲＬＥＤ７、情報管理を行うパーソナルコンピュータ（ＰＣ）とＵＳＢ接続を行うためのＵＳＢソケット８、および、リモコン１による各部の動作を制御すると共に、エアコンから受信した運転履歴等の運転情報や各種パラメータを記憶するメモリを含むＭＰＵ（マイクロプロセッサユニット）を搭載したＭＰＵボード９等を備えている。
【００２０】
図２のＬＣＤユニット２は、図３に示すように、メモリ２１、水平ドライバ２２、垂直ドライバ２３、制御部としてのタイミング制御部２４、およびドットマトリックス型液晶表示パネル２５などにより構成されている。
【００２１】
メモリ２１は、ドットマトリックス型液晶表示パネル２５に表示される表示パターンデータを格納するものである。このメモリ２１に記憶される表示パターンデータは、後述するように、風量レベル表示を本発明に特徴的な所定の矩形領域（子領域）に分割した複数のパターンデータとしてメモリ２１に格納されている。
【００２２】
水平ドライバ２２は、メモリ２１から選択的に読み出されたパターンデータをサンプリングして保持し、所定のタイミングでドットマトリックス型液晶表示パネル２５の信号電極群にパターンデータを出力するものである。
【００２３】
垂直ドライバ２３は、ドットマトリックス型液晶表示パネル２５の走査電極群に所定のタイミングで走査信号を出力して、水平ドライバ２２から出力されるパターンデータを順次走査線毎に表示させるものである。
【００２４】
タイミング制御部２４は、メモリ２１に対して表示用のパターンデータを選択的に読み出して、水平ドライバ２２にサンプルホールドさせ、所定のタイミングでパターンデータをドットマトリックス型液晶表示パネル２５の信号電極群に出力させると共に、垂直ドライバ２３から所定のタイミングで走査信号をドットマトリックス型液晶表示パネル２５の走査電極群に出力するように制御するものである。
【００２５】
さらに、図３のメモリ２１の中には、図４に示すように、風量レベル表示を複数の矩形領域（子領域）に分割したパターンデータとして、後述する画像１データ２１１〜画像８データ２１８に対応するように格納されている。
【００２６】
［風量レベル表示の画像分割］
図５は、図１−２のＬＣＤユニットに表示される風量レベル表示の各段階のパターン例を示す図であり、図６は、図５に示す各段階の風量レベル表示を本発明の矩形領域に分割した場合のデータ量を説明する図であり、図７は、図６で分割した矩形領域の組み合わせを変えて異なる段階の風量レベル表示を行う例を説明する図であり、図８−１〜図８−４は、本発明にかかるレベル表示装置の特徴を説明する図であり、図９は、本発明にかかるレベル表示の目盛線に用いるハーフトーンの１画素を拡大した図であり、図１０は、本発明にかかるレベル表示の表示量を示す疑似曲線部分の１画素を拡大した図である。
【００２７】
本実施例における風量レベル表示は、図５に示すように、表示画面の一点から所定の角度で放射状に伸びる帯の長さによって、５段階の風量レベル表示が行えるようになっている。このレベル表示の構造は、図５の５段階の表示に示すように、表示面のある一点から所定間隔毎に同心円状に広がる一定の幅を持った複数本の目盛線３１、３２、３３、３４、３５を備えており、風量レベルの基準を示している。そして、目盛線３１と３２との間には、図５の４段階の表示に示すように、隣接する目盛線同士の間を埋める表示量を示す表示帯３６が配置され、目盛線３２と３３との間には、表示帯３７が配置され（図５の３段階の表示参照）、目盛線３３と３４との間には、表示帯３８が配置され（図５の２段階の表示参照）、目盛線３４と３５との間には、表示帯３９が配置されている（図５の１段階の表示参照）。
【００２８】
図５に示す風量レベル表示の表示例では、上記目盛線３１〜３５の濃度として、点灯画素と非点灯画素を市松模様に表示したグレー５０％で表示し、上記表示帯３６を点灯画素１００％とし、上記表示帯３７を点灯画素９０％とし、上記表示帯３８を点灯画素８０％とし、上記表示帯３９を点灯画素７０％として、徐々に表示濃度を薄くしていってグラデーションを付けることにより、エアコンから放出された風が拡散して広がっていくイメージを表現することができる。また、レベル表示の曲線部分は、リモコンの表示画面にドットマトリックス方式を採用しているため、図１０に示すように、輪郭部の画素を疑似曲線化することで、滑らかな曲線を表現することができる。
【００２９】
続いて、図５に示す風量レベル表示を表示する場合は、図６に示すような風量レベルを段階的に表示するレベル表示領域を、画像１〜画像８に示す矩形領域（子領域）の画像に分割し、これを各パターンデータとしてＬＣＤユニット２のメモリ２１に記憶させる（図３、図４参照）。そして、表示レベルに応じてパターンデータを組み合わせることにより、所望のレベル表示を行うことができる。まず、図６の１段階のレベル表示に示すように、分割する矩形領域（子領域）は、一点から所定の角度で放射状に伸びる帯を目盛線（３２、３３、３４）毎に、かつその目盛線（３２、３３、３４）の中を通るドットマトリックス方式の表示画面の縦線（区切線）で平行に分割し、その縦線（区切線）と直交する横線（区切線）でレベル表示に必要な矩形領域（子領域）を切り取ったものである。
【００３０】
つまり、図６の１段階のレベル表示は、画像１、画像２、画像３、画像４に分割することができる。図６に示すマトリックス状の１つの枡目は、１画素を表しており、１画素は８×８ドットで構成されている（図８−４参照）。このため、画像１は、５×６画素＝４０×４８ドット＝１９２０ドット（ピクセル）で構成されている。同様に、画像２は、８×５画素＝６４×４０ドット＝２５６０ドット（ピクセル）で構成され、画像３は、１０×５画素＝８０×４０ドット＝３２００ドット（ピクセル）で構成され、画像４は、１３×６画素＝１０４×４８ドット＝４９９２ドット（ピクセル）で構成されている。このピクセル数によってメモリに記憶する際のデータ量が決まってくる。
【００３１】
また、図６の５段階のレベル表示は、画像５、画像６、画像７、画像８に分割することができる。画像５〜画像８のピクセル数は、同じ矩形領域（子領域）であるため画像１〜画像４と同様のピクセル数となる。つまり、画像５は、１９２０ドット（ピクセル）で構成され、画像６は、２５６０ドット（ピクセル）で構成され、画像７は、３２００ドット（ピクセル）で構成され、画像８は、４９９２ドット（ピクセル）で構成されている。このように画像１〜画像８までのピクセル数を合計すると、２５３４４ピクセルとなる。これは、図１４で説明した従来のレベル表示に必要な９１５２０ピクセルと較べると、約２４％程度となり、１／４以下の記憶容量で足りる計算になる。
【００３２】
上記のレベル表示の分割方法とその組み合わせ方法について、図３、図４、および図７を用いて説明する。つまり、ＬＣＤユニット２のタイミング制御部２４は、メモリ２１に対して画像１データ２１１と、画像２データ２１２とを読み出して組み合わせることにより、図５の３段階のレベル表示を行うことができる（説明を簡略化するためレベル表示の一部で説明している）。また、ＬＣＤユニット２のタイミング制御部２４は、メモリ２１に対して画像１データ２１１と、画像６データ２１６とを読み出して組み合わせることにより、図５の４段階のレベル表示を行うことができる。段階（表示帯）毎に分割して表示する場合については、どの位置で分割しても良いわけではない。つまり、分割する際の境界線（区切線）は、図７に示すように、表示帯と表示帯の間に位置する目盛線の中を通って分割することにより、少ないデータ記憶容量でレベル表示を行うことができる。
【００３３】
本発明にかかるレベル表示装置の特徴について、図８−１〜図８−４と、その比較例である図１５−１〜図１５−４を用いて以下説明する。図８−１〜図８−４は、本発明にかかるレベル表示装置により画像を分割したものである（図８−１〜図８−４に示すレベル表示は、原理説明図であり、図５のレベル表示とは一部形状が異なっている）。図８では、分割する際の境界線（区切線）３２ａ、３３ａ、３４ａが必ず目盛線３２、３３、３４の中を通り、表示帯３６、３７、３８を分割していない。このため、図８−１の弱風、図８−２の微風、図８−３の静音、図８−４の自動を表示する際に必要なパターンデータは、画像１、２、３、６、７の５つの画像データ（１９２０＋２５６０＋３２００＋２５６０＋３２００＝１３４４０ピクセル）となる。
【００３４】
これに対して、図１５−１〜図１５−４は、同様に弱風、微風、静音、自動を表示する場合であるが、分割する際の境界線（区切線）が目盛線４２、４３、４４の中を必ずしも通っておらず、表示帯４６、４７、４８の一部を分割した場合である。このため、弱風、微風、静音、自動の４つのレベル表示を表示する際に必要なパターンデータは、画像１、２、３、４、５、６、７の７つの画像データ（１９２０＋２５６０＋３２００＋２５６０＋３２００＋１９２０＋２５６０＝１７９２０ピクセル）となる。つまり、本発明の場合は、比較例と較べると、７５％のメモリ容量でレベル表示が可能となり、その分のコストを低減することができる。
【００３５】
以上のようなレベル表示装置と、そのレベル表示装置を用いたリモートコントローラを用いてレベル表示する場合の動作について、図１〜図６、および図１１を用いて説明する。まず、リモコン１のＬＣＤユニット２のメモリ２の中に図５および図６に示す５段階の風量レベル表示を可能とする８種類の矩形領域（子領域）からなる画像１〜画像８の画像データに分割され、図３のＬＣＤユニット２のメモリ２１にそれぞれ格納されている。
【００３６】
この状態で、図１−１のリモコン１のキー操作部３の風量キー３ａが押下されると、風量コントロールが行われる。図２に示すキー操作部３からのキー操作により指示風量が確定すると、ＭＰＵボード９は、ＬＣＤユニット２のドットマトリックス型液晶表示パネル２５に表示するレベル表示の指示があったとして（ステップＳ５０でＹｅｓ）、レベル表示の段階に応じた表示パターンデータをメモリ２１から読み出す（ステップＳ５１）。図３に示すタイミング制御部２４は、水平ドライバ２２に対してメモリ２１から読み出されたパターンデータをサンプルホールドさせ、所定のタイミングでドットマトリックス型液晶表示パネル２５の信号電極に出力させる。また、タイミング制御部２４は、垂直ドライバ２３に対して所定のタイミングで走査するように走査信号をドットマトリックス型液晶表示パネル２５の走査線に出力することにより、合成した画像データを液晶パネルに表示して（ステップＳ５２）、ステップＳ５０に戻る。また、ステップＳ５０において、レベル表示の指示が無い場合は（ステップＳ５０でＮｏ）、ステップＳ５３に移行し、レベル表示が終了している場合は処理が終了し（ステップＳ５３でＹｅｓ）、レベル表示が終了していなければステップＳ５０に戻る（ステップＳ５３でＮｏ）。
【００３７】
このように、本実施例のレベル表示装置およびそのレベル表示装置を用いたリモートコントローラによれば、リモコン１のドットマトリックス型液晶表示パネル２５に指示された風量レベル表示を風が放射状に拡散する自然なイメージに表示することができる。そして、本実施例のレベル表示装置は、従来と較べると非常に少ないデータ量で実現することが可能であり、搭載するメモリ容量が小さくできるので、装置コストが低減できるという効果を奏する。
【００３８】
なお、上記実施例では、レベル表示例として風量表示を例にあげて説明したが、これに限定されず、放射状に拡散するイメージでレベル表示可能なグラフィック表示一般に用いることが可能である。例えば、音量表示等も同様に行うことができる。
【００３９】
また、上記実施例では、ドットマトリックス型の液晶表示パネルを用いた例で説明したが、これに限定されず、ドットマトリックス方式を用いた表示方法一般に応用することが可能である。例えば、エレクトロルミネッセンス（ＥＬ）ディスプレイ等を用いて実施することも可能である。
【００４０】
また、上記実施例では、表示帯の濃度を段階的に変化させてグラデーションを付けて表示したが、色を変えて表示したり、あるいは、濃度や色を変化させずに表示したりしても良い。
【００４１】
また、上記実施例では、目盛線の濃度を表示帯と異なる濃度で表示するようにしたが、異なる色を使って表示したり、あるいは同じ濃度や同じ色を使って表示したりしても良い。
【産業上の利用可能性】
【００４２】
以上のように、本発明にかかるレベル表示装置およびそのレベル表示装置を用いたリモートコントローラは、エアコンやオーディオ機器等のディスプレイ上で風量や音量をレベル表示する場合に有用であって、特に、リモコン等の表示部に表示する場合のレベル表示装置およびそのレベル表示装置を用いたリモートコントローラに適している。
【符号の説明】
【００４３】
１  リモートコントローラ（リモコン）
２  ＬＣＤユニット
２１  メモリ
２１１  画像１データ
２１２  画像２データ
２１３  画像３データ
２１４  画像４データ
２１５  画像５データ
２１６  画像６データ
２１７  画像７データ
２１８  画像８データ
２２  水平ドライバ
２３  垂直ドライバ
２４  タイミング制御部
２５  ドットマトリックス型液晶表示パネル
３  キー操作部
３ａ  風量キー
３１、３２、３３、３４、３５  目盛線
３２ａ、３３ａ、３４ａ  境界線（区切線）
３６、３７、３８、３９  表示帯
４  ＲＴＣ（リアル・タイム・クロック）
５  電池
６  ＲＦモジュール（無線通信モジュール）
７  ＩＲＬＥＤ（赤外線発光ダイオード）
８  ＵＳＢソケット
【図１−１】
0005691545.tif 000002
【図１−２】
0005691545.tif 000003
【図２】
0005691545.tif 000004
【図３】
0005691545.tif 000005
【図４】
0005691545.tif 000006
【図５】
0005691545.tif 000007
【図６】
0005691545.tif 000008
【図７】
0005691545.tif 000009
【図８−１】
0005691545.tif 000010
【図８−２】
0005691545.tif 000011
【図８−３】
0005691545.tif 000012
【図８−４】
0005691545.tif 000013
【図９】
0005691545.tif 000014
【図１０】
0005691545.tif 000015
【図１１】
0005691545.tif 000016
【図１２】
0005691545.tif 000017
【図１３】
0005691545.tif 000018
【図１４】
0005691545.tif 000019
【図１５−１】
0005691545.tif 000020
【図１５−２】
0005691545.tif 000021
【図１５−３】
0005691545.tif 000022
【図１５−４】
0005691545.tif 000023